(57)【要約】【課題】出入り口が狭くなっている空間の中の物理量の変化の様子を漏れなく可視化できるようにする。【解決手段】可視化装置５の保持部材６は、常温よりも高い温度を変態温度とする形状記憶部材を空間ＡＳに収まる形状に加工したものにより構成されている。保持部材６の一面には、複数個の音／光変換器１０（ｋ）がマトリクス状に配置されている。音／光変換器１０（ｋ）は、ストローブ信号ＳＳと同期して音の音圧をサンプリングし、サンプリングしたデータＤＳ−ｉを記憶部１８０に記憶させる。また、音／光変換器１０（ｋ）は、この記憶部１８０内のデータＤＳ−ｉに従って発光部１３０を発光させる。【選択図】図１
2013033076.tif 000002
【特許請求の範囲】
【請求項１】
各々が、観測対象である物理量を検出し、この検出した物理量に応じた輝度で発光する複数個の変換器と、
前記複数個の変換器を各々の間に間隔を空けて保持する保持部材であって、それ自体の形状が可変に構成された保持部材と
を具備することを特徴とする可視化装置。
【請求項２】
前記各変換器は、観測対象である音を収音するマイクロホンと、発光部と、前記マイクロホンの出力信号の瞬時値を取得し、取得した一連の瞬時値に応じた輝度で前記発光部を発光させる発光制御部とを有する音／光変換器であることを特徴とする請求項１に記載の可視化装置。
【請求項３】
前記保持部材は、空間内に収まる寸法の形状を記憶させた形状記憶部材であることを特徴とする請求項１または２に記載の可視化装置。
【請求項４】
前記保持部材は、Ｍ（Ｍは２以上の整数）対の棒状体をパンタグラフ機構をなすように連結したものであることを特徴とする請求項１乃至３のいずれか１の請求項に記載の可視化装置。
【請求項５】
前記保持部材は、環状に並べられたＮ（Ｎは３以上の整数）個の扇状板であって、各々が中心から孤に向かって延在するスリットを有するＮ個の扇状板と、前記Ｎ個の扇状板のうち隣り合うＮ−１組の扇状板の側端部同士を回動自在に連結するＮ−１個の連結部材と、当該軸体が前記Ｎ個の扇状板のスリットを各扇状板のスリットの内周壁上を摺動し得るように支持する軸体とを有することを特徴とする請求項１乃至３のいずれか１の請求項に記載の可視化装置。
【発明の詳細な説明】
【技術分野】
【０００１】
本発明は、音場を可視化する技術に関する。
【背景技術】
【０００２】
従来より音場を可視化する技術が種々提案されている。例えば、非特許文献１には、１つのマイクロホンを音響空間内で上下、左右に移動させて複数の場所の各々における音圧をシーケンシャルに計測し、ＬＥＤ（Light Emitting Diode）等の発光体をその音圧に応じた輝度で発光させることで音場を可視化することが記載されている。
【先行技術文献】
【非特許文献】
【０００３】
【非特許文献１】西田公至、丸山  朗、“発光ダイオードを用いた音場の可視化測定法”、日本機械学会論文集（Ｃ編）５１巻４６１号（１９８５年）
【発明の概要】
【発明が解決しようとする課題】
【０００４】
ところで、本願発明者らは、音響機器の筐体内の音響空間を伝わる音波を観測対象とし、この音波の波面の伝搬状態を非特許文献１に開示された音圧の測定とその音圧に応じた発光とを行う音／光変換器を用いて可視化する手法の開発を試みている。この手法では、例えば、バスレフスピーカの筐体内の音響空間を伝わる音波の波面の伝搬状態を次のような手順で可視化する。まず、複数個の音／光変換器を板の一面に配置したものを可視化装置とし、この可視化装置をバスレフスピーカの筐体の唯一の出入口であるバスレフポートから筐体の中に入れる。次に、バスレフスピーカに音を放音させるとともに、可視化装置の各音／光変換器に筐体の中の空間の音圧をサンプリングさせ、サンプリングにより得られた音圧の瞬時値を各音／光変換器の記憶部に記憶させる。次に、可視化装置をバスレフポートから筐体の外に取り出す。そして、可視化装置の各音／光変換器に記憶部内の一連の瞬時値に応じた輝度で発光体を発光させる。
【０００５】
この手法において、音響空間における音波の伝搬状態を漏れなく可視化するためには、複数個の音／光変換器を音響空間内の隅々に至るまで広範囲に配置して音圧の瞬時値をサンプリングさせることが望ましい。しかしながら、バスレフスピーカのように出入口が小さくなっている空間の中の様子を観測する場合、音／光変換器を配置する板の寸法を出入口に収まる程度の大きさにせねばならず、空間内の音波の伝播状態を漏れなく可視化することが難しいという問題があった。
【０００６】
本発明は、このような課題に鑑みてなされたものであり、出入り口が狭くなっている空間の中の物理量の変化の様子を漏れなく可視化できるようにすることを目的とする。
【課題を解決するための手段】
【０００７】
上記課題を解決するため、本発明は、各々が、観測対象である物理量を検出し、この検出した物理量に応じた輝度で発光する複数個の変換器と、前記複数個の変換器を各々の間に間隔を空けて保持する保持部材であって、それ自体の形状が可変に構成された保持部材とを具備する可視化装置を提供する。
【０００８】
本発明では、変換器は、観測対象である物理量を検出し、この検出した物理量に応じた輝度で発光する。よって、物理量の変化の様子を看者に視覚的に認識させることができる。また、本発明では、可視化装置の保持部材の形状が可変な構成になっている。このため、出入口が狭い空間の中の様子を観察する場合でも、可視化装置の形状をその出入口を通るような形状へと変化させた上で、出入口から空間内に入れ、空間内において元の形状に戻すことができる。よって、本発明によると、出入り口が狭くなっている空間の中の物理量の変化の様子を漏れなく可視化することができる。
【図面の簡単な説明】
【０００９】
【図１】本発明の第１実施形態の観測システムの構成例を示す図である。
【図２】同システムの利用手順を示す図である。
【図３】同システムの利用手順を示す図である。
【図４】同システムの利用手順を示す図である。
【図５】同システムの利用手順を示す図である。
【図６】同システムの観測対象音Ｙの波形を示す図である。
【図７】同システムの観測対象音Ｙと音源及び音／光変換器に供給される信号の波形を示す図である。
【図８】本発明の第２実施形態の観測システムの構成例を示す図である。
【図９】本発明の第３実施形態の観測システムの構成例を示す図である。
【発明を実施するための形態】
【００１０】
以下、本発明の実施形態について図面を参照しつつ説明する。
＜第１実施形態＞
図１は、本発明の第１実施形態である可視化装置５を含む観測システム１Ａの構成例を示すブロック図である。図２〜図５は、観測システム１Ａの利用手順を示す図である。観測システム１Ａは、複数個の音／光変換器１０（ｋ）（ｋ＝１〜Ｌ：図１の例では、Ｌ＝３５）とこれらを各々の間に間隔を空けて保持する保持部材６とを有する可視化装置５と、この可視化装置５の動作を制御する制御装置２０とをケーブルにより接続したものである。
【００１１】
この観測システム１Ａでは、バスレフスピーカＢＳのスピーカユニットＳＵから筐体ＣＨの中の音響空間ＡＳに伝わる音Ｙを観測対象とし、この観測対象である音Ｙの波面の伝播状態を次のような手順で可視化する。まず、図２に示すように、可視化装置５をバスレフスピーカＢＳの筐体ＣＨの唯一の出入口であるバスレフポートＢＰを通して筐体ＣＨの中に入れる。次に、図３に示すように、バスレフスピーカＢＳのスピーカユニットＳＵに音Ｙを放音させるとともに、可視化装置５の各音／光変換器１０（ｋ）に各々の位置における音圧をサンプリングさせ、サンプリングにより得られた一連の瞬時値を各音／光変換器１０（ｋ）の記憶部１８０（後述）に記憶させる。次に、図４に示すように、可視化装置５をバスレフポートＢＰから筐体ＣＨの外に取り出す。そして、図５に示すように、可視化装置５の各音／光変換器１０（ｋ）に記憶部１８０内の一連の瞬時値に応じた輝度で各々の発光部１３０（後述）を発光させる。
【００１２】
ここで、観測対象となる音Ｙとしては種々のものが考えられる。例えば、定常的な音の波面の伝搬状態を可視化したい場合は、図６（Ａ）に示すように、周期Ｔｆの正弦波により表される音を観測対象音ＹとしてスピーカユニットＳＵから放音させるとよい。また、バースト的な音の伝搬状態を可視化したい場合は、図６（Ｂ）に示すように、１周期Ｔｆ毎に時間Ｔｓに亙る有音区間と時間Ｔｒに亙る無音区間とを繰り返す音を観測対象音ＹとしてスピーカユニットＳＵから放音させるとよい。
【００１３】
次に、観測システム１Ａを構成する両装置５及び２０の構成について詳細に説明する。可視化装置５の保持部材６は、それ自体が形状可変な部材により構成されている。より具体的には、この保持部材６は、常温よりも高い温度を変態温度とする形状記憶部材（例えば、形状記憶合金とする）を筐体ＣＨ内の空間ＡＳに収まる寸法をもった板状に成型したものである。可視化装置５の音／光変換器１０（ｋ）は、この保持部材６の一面にマトリクスをなすように並べて載置されている。周知のように、形状記憶部材は、変態温度よりも低い温度の下では容易に可塑変形し、変態温度よりも高い温度に加熱されると予め記憶された形状に戻る、という性質を有している。このため、図２〜図５に示した４つの手順のうち１番目の手順である筐体ＣＨ内への可視化装置５の設置の際は、可視化装置５を小さく折り畳んだり丸めてからバスレフポートＢＰを通して筐体ＣＨの中に入れ、可視化装置５を変態温度以上の温度に加熱してその形状を元に戻す、という操作が可能である。３番目の手順である筐体ＣＨ内の可視化装置５の外への取り出しの際は、バスレフポートＢＰから筐体ＣＨの中に手を入れて可視化装置５を引き出し、可視化装置５を手で押し拡げたり変態温度以上に加熱してその歪んだ形状を元に戻す、という操作が可能である。
【００１４】
保持部材６内には、各音／光変換器１０（ｋ）間を接続する配線が敷設されている。音／光変換器１０（ｋ）には、２種類の動作指示信号ＳＯ１及びＳＯ２と、音波のサンプリングタイミングを決める信号であるストローブ信号ＳＳとが制御装置２０から供給される。各音／光変換器１０（ｋ）は、外部装置である制御装置２０から供給されるストローブ信号ＳＳに同期して、監視対象の物理量である音Ｙの瞬時値を取得し、取得した一連の瞬時値に応じた輝度で発光する装置である。各音／光変換器１０（ｋ）は、マイクロホン１１０、発光部１３０、記憶部１８０、及び発光制御部１２０を有する。マイクロホン１１０は、例えば、ＭＥＭＳ（Micro Electro Mechanical Systems）マイクロホンや小型ＥＣＭ（Electret Condenser Microphone）であり、収音した音の波形を示すアナログ信号ＳＩを出力する。発光部１３０は、例えば、可視光ＬＥＤ（Light Emitting Diode）であり、当該発光部１３０の入力電流に応じた大きさの輝度の可視光を放射する。記憶部１８０は、例えば、ＲＡＭ（Random Access Memory）などの揮発性メモリやフラッシュメモリなどの不揮発性メモリである。
【００１５】
発光制御部１２０は、各音／光変換器１０（ｋ）の制御中枢としての役割を果たす。より詳細に説明すると、発光制御部１２０は、サンプルホールド回路１２２、電圧電流変換回路１２４、データ書き込み／読み出し制御部１２６を含んでいる。サンプルホールド回路１２２は、ストローブ信号ＳＳの立ち上がり時点における信号ＳＩの振幅を次の立ち上がり時点まで保持する動作を繰り返す回路である。電圧電流変換回路１２４は、当該電圧電流変換回路１２４の印加電圧に比例した電流値の電流を発光部１３０に供給する回路である。データ書き込み／読み出し制御部１２６は、動作指示信号ＳＯ１が与えられた以降、ストローブ信号ＳＳが立ち上がる度にその立ち上がり時点におけるサンプルホールド回路１２２の出力信号の振幅を音Ｙの瞬時値を示すデータＤＳ−ｉ（ｉ＝１，２…：ｉは、サンプリング順を示すインデックスである）として記憶部１８０に記憶させる処理を行う。また、データ書き込み／読み出し制御部１２６は、動作指示信号ＳＯ２が与えられた以降、記憶部１８０内のデータＤＳ−ｉを当該データＤＳ−ｉのサンプリング周期と同じ周期かそれよりも長い周期で順に読み出し、読み出したデータＤＳ−ｉが示す瞬時値に応じた電圧を電圧電流変換回路１２４に供給する処理を行う。
【００１６】
制御装置２０は、可視化装置５の作動制御を行う装置である。可視化装置５が筐体ＣＨ内に設置された状態において、制御装置２０の操作部（不図示）には音の伝搬状態の記録を指示する第１の操作がなされる。また、可視化装置５が筐体ＣＨの外に取り出された状態において、制御装置２０の操作部（不図示）には光の明滅を指示する第２の操作がなされる。制御装置２０は、第１の操作がなされた場合、可視化装置５に対して動作指示信号ＳＯ１を出力し、以降は、スピーカユニットＳＵに対して観測対象音Ｙ（例えば、図６に示す正弦波とする）の発音の開始を指示する駆動信号ＭＳを出力すると共に可視化装置５に対して観測対象音Ｙのサンプリングタイミングを指示するストローブ信号ＳＳを出力する処理を行う。また、制御装置２０は、第２の操作がなされた場合、可視化装置５に対して動作指示信号ＳＯ２を出力する処理を行う。ここで、ストローブ信号ＳＳの波形については、種々の態様が考えられる。
【００１７】
例えば、図７（Ａ）に示すように、信号の発生開始時刻ｔＳＴＲから観測対象音Ｙの１周期分の時間Ｔｆが経過した時に立ち上がる矩形波をストローブ信号ＳＳとしてもよい。筐体ＣＨの中に可視化装置５を設置し、各音／光変換器１０（ｋ）に対して図７（Ａ）に示すような波形を有するストローブ信号ＳＳを出力した場合、音／光変換器１０（ｋ）は筐体ＣＨの中の空間ＡＳにおける各々の位置の音圧の瞬時値を周期Ｔｆでサンプリングし、このサンプリング結果であるデータＤＳ−ｉを各々の記憶部１８０に記憶する。このようにして各音／光変換器１０（ｋ）の記憶部１８０にデータＤＳ−ｉを記憶させた可視化装置５を筐体ＣＨの外に取り出し、各音／光変換器１０（ｋ）の発光部１３０をデータＤＳ−ｉに従って明滅させることにより、空間ＡＳ内の音圧分布を看者に視覚的に認識させることができる。
【００１８】
また、図７（Ｂ）に示すように、信号の発生開始時刻ｔＳＴＲから時間Ｔｄ（ＴｄはＴｆよりも十分に短い時間），Ｔｄ＋Ｔｆ，２Ｔｄ＋Ｔｆ，３Ｔｄ＋Ｔｆ…が経過した時に立ち上がる矩形波をストローブ信号ＳＳとしてもよい。筐体ＣＨの中に可視化装置５を設置し、各音／光変換器１０（ｋ）に対して図７（Ｂ）に示すような波形を有するストローブ信号ＳＳを出力した場合、各音／光変換器１０（ｋ）は、観測対象音Ｙの周期Ｔｆよりも時間Ｔｄずつ位相が遅れる各サンプリングタイミングにおいて各々の位置の音圧の瞬時値をサンプリングし、このサンプリング結果であるデータＤＳ−ｉを各々の記憶部１８０に記憶する。このようにして各音／光変換器１０（ｋ）の記憶部１８０にデータＤＳ−ｉを記憶させた可視化装置５を筐体ＣＨの外に取り出し、各音／光変換器１０（ｋ）の発光部１３０をデータＤＳ−ｉに従って明滅させることにより、音波の波面がスピーカユニットＳＵから各音／光変換器１０（ｋ）の位置に向かってゆっくりと伝搬していく様子を看者に視覚的に認識させることができる。
【００１９】
本実施形態によると、次のような効果が得られる。
まず、本実施形態では、可視化装置５が筐体ＣＨ内の空間ＡＳに設置された状態において、可視化装置５の音／光変換器１０（ｋ）は、空間ＡＳの音を収音するマイクロホン１１０の出力信号ＳＩをサンプリングする。また、可視化装置５が空間ＡＳの外に取り出された状態において、可視化装置５の音／光変換器１０（ｋ）は、サンプリング結果であるデータＤＳ−ｉが示す音圧に応じた輝度で発光部１３０を順に発光させる動作を行う。よって、本実施形態によると、音響空間ＡＳ内を伝わる音Ｙの波面の伝播状態を看者に視覚的に認識させることができる。
【００２０】
また、本実施形態では、可視化装置５の保持部材６の形状が可変な構成になっている。このため、音響空間ＡＳの出入口が狭い場合であっても、可視化装置５の形状をその出入口を通るような形状へと変化させた上で、可視化装置５をその出入口から空間ＡＳ内に入れ、空間ＡＳ内において元の形状に戻すことができる。よって、本実施形態によると、音響空間ＡＳの出入口が狭い場合でも、その空間ＡＳ内を伝わる音Ｙの波面の伝播状態を広範囲に亙って可視化することができる。
【００２１】
また、本実施形態では、常温よりも高い温度を変態温度とする形状記憶部材を音響空間ＡＳに収まる寸法の板状に成型したものにより保持部材６が形成されている。このため、可視化装置５を折り畳んだり丸めたりするなどして音／光変換器１０（ｋ）の位置関係が変わったとしても、保持部材６を変態温度以上に加熱すると音／光変換器１０（ｋ）の元の位置関係が再現される。よって、本実施形態では、空間ＡＳの音圧のサンプリングを終えた可視化装置５を空間ＡＳの外に取り出して音／光変換器１０（ｋ）による光の明滅を行わせる際に、音／光変換器１０（ｋ）の位置関係を音圧のサンプリング時のそれと同じにすることができる。従って、本実施形態によると、外部からの視認が不可能な空間である音響空間ＡＳ内の複数箇所の音波の伝搬状態をその外の空間において正確に可視化することができる。
【００２２】
＜第２実施形態＞
図８は、本発明の第２実施形態である観測システム１Ｂの構成例を示すブロック図である。この観測システム１Ｂは、観測システム１Ａ（第１実施形態）の可視化装置５を可視化装置５’に置き換えたものである。可視化装置５’の保持部材６は、Ｍ（Ｍは２以上の整数：図８の例ではＭ＝３）対の棒状体２０１ａ−ｍ（ｍ＝１〜Ｍ），２０１ｂ−ｍ（ｍ＝１〜Ｍ）をパンタグラフ機構をなすように連結したものである。可視化装置５’では、１２個の音／光変換器１０（ｋ）が保持部材６における各棒状体２０１ａ−ｍ，２０１ｂ−ｍの一面に２つずつ載置されている。棒状体２０１ａ−１及び２０１ｂ−１の交差位置にはアクチュエータ２５０が設けられている。アクチュエータ２５０は、制御装置２０による制御の下、各棒状体２０１ａ−ｍ及び２０１ｂ−ｍの交差角度θ１を変化させるように動作する。より具体的に説明すると、本実施形態では、制御装置２０は、交差角度θ１を指定する制御信号ＳＯ２１を無線区間を介してアクチュエータ２５０に送信する。アクチュエータ２５０は、この制御信号ＳＯ２１に従って駆動することにより、交差角度θ１を変化させる。
【００２３】
このアクチュエータ２５０の動作により、各棒状体２０１ａ−ｍ及び２０１ｂ−ｍの交差角度θ１が大きくなると、可視化装置５’の縦幅Ｈ２が縮小する。また、各棒状体２０１ａ−ｍ及び２０１ｂ−ｍの交差角度θ１が小さくなると、可視化装置５’の縦幅Ｈ２が伸長する。このため、筐体ＣＨ内への可視化装置５’の設置の際は、可視化装置５’を縮めてからバスレフポートＢＰを通して筐体ＣＨの中に入れ、筐体ＣＨの中の空間ＡＳの縦幅と同じになるまで可視化装置５’を伸ばす、という操作が可能である。また、筐体ＣＨ内の可視化装置５’の外への取り出しの際は、可視化装置５’を縮めてからバスレフポートＢＰを通して筐体ＣＨの外に取り出し、筐体ＣＨの中の空間ＡＳの縦幅と同じになるまで可視化装置５’を伸ばす、という操作が可能である。本実施形態によっても、上記第１実施形態と同様の効果を得ることができる。
【００２４】
＜第３実施形態＞
図９は、本発明の第３実施形態である観測システム１Ｃの構成例を示すブロック図である。この観測システム１Ｃは、観測システム１Ａ（第１実施形態）の可視化装置５を可視化装置５”に置き換えたものである。可視化装置５”の保持部材６は、環状に並べられたＮ（Ｎは３以上の整数：図６の例では、Ｎ＝５）個の扇状板３０１−ｎ（ｎ＝１〜Ｎ）であって、各々が中心の内側近傍から孤に向かって延在するスリットＳＬＴを有するＮ個の扇状板３０１−ｎ（ｎ＝１〜Ｎ）と、隣り合うＮ−１組の扇状板（より具体的には、扇状板３０１−２と扇状板３０１−３、扇状板３０１−３と扇状板３０１−４、扇状板３０１−４と扇状板３０１−５、扇状板３０１−５と扇状板３０１−１）の側端部同士を回動自在に連結するＮ−１個の連結部材ＣＬと、Ｎ個の扇状板３０１−ｎ（ｎ＝１〜Ｎ）のスリットＳＬＴを当該軸体３１０が各扇状板３０１−ｎのスリットＳＬＴの内周壁上を摺動し得るように支持する軸体３１０とを有する。また、軸体３１０にはアクチュエータ３５０が内蔵されている。アクチュエータ３５０は、制御装置２０による制御の下、軸体３１０を扇状板３０１−ｎのスリットＳＬＴにおける扇状板３０１−ｎの中心の側の端部ＥＤＧと接離させるように動作する。より具体的に説明すると、制御装置２０は、軸体３１０の移動方向と移動量とを指定する制御信号ＳＯ３１を無線区間を介してアクチュエータ３５０に送信する。アクチュエータ３５０は、この制御信号ＳＯ３１に従い、各扇状板３０１−ｎのスリットＳＬＴ内における軸体３１０の位置をスリットＳＬＴの延在方向に沿って移動させる。
【００２５】
このアクチュエータ３５０の動作により、各扇状板３０１−ｎのスリットＳＬＴ内の軸体３１０に対して端部ＥＤＧに近づく方向の力（図９の矢印Ｂ方向）が加わると、各扇状板３０１−ｎは隣の扇状板３０１−ｎとの重複部分の面積を拡げつつ連結部材ＣＬを回転軸として反時計周り方向（図９の矢印Ｃ方向）に回転する。この反時計周り方向の回転により可視化装置５”の直径Ｈ３が伸長する。また、各扇状板３０１−ｎのスリットＳＬＴ内の軸体３１０に対して端部ＥＤＧから遠ざかる方向の力が加わると、各扇状板３０１−ｎは隣の扇状板３０１−ｎとの重複部分の面積を狭めつつ連結部材ＣＬを回転軸として時計周り方向に回転する。この時計周り方向の回転により可視化装置５”の直径Ｈ３が縮小する。このため、筐体ＣＨ内への可視化装置５”の設置の際は、可視化装置５”を縮めてからバスレフポートＢＰを通して筐体ＣＨの中に入れ、筐体ＣＨの中の空間ＡＳの縦幅と同じになるまで可視化装置５”を伸ばす、という操作が可能である。また、筐体ＣＨ内の可視化装置５”の外への取り出しの際は、可視化装置５”を縮めてからバスレフポートＢＰを通して筐体ＣＨの外に取り出し、筐体ＣＨの中の空間ＡＳの縦幅と同じになるまで可視化装置５”を伸ばす、という操作が可能である。本実施形態によっても、上記第１実施形態と同様の効果を得ることができる。
【００２６】
＜他の実施形態＞
以上、この発明の第１乃至第３実施形態について説明したが、この発明には他にも実施形態があり得る。例えば、以下の通りである。
（１）上記第１実施形態では、保持部材６は形状記憶合金により構成されていた。しかし、保持部材６を他の種類の形状記憶部材（例えば、形状記憶樹脂）により構成してもよい。
【００２７】
（２）上記第２及び第３実施形態において、可視化装置５’及び５”の形状に応じて変化する部分の寸法を記憶する記録手段を設けてもよい。例えば、第２実施形態では、伸縮度記録手段は、可視化装置５’の形状に応じて変化する部分の寸法である棒状体２０１ａ−ｍと棒状体２０１ｂ−ｍの交差角度θ１をデータＤＥＣとして記録するとよい。この態様によると、音圧のサンプリングを終えた可視化装置５’を空間ＡＳの外に取り出して音／光変換器１０（ｋ）による光の明滅を行わせる際に、音／光変換器１０（ｋ）の位置関係をより正確に再現することができる。また、第３実施形態では、記録手段は、可視化装置５’の形状に応じて変化する部分の寸法である扇状板３０１−ｎの基準位置からの回転角度をデータＤＥＣとして記録するとよい。また、伸縮度記録手段は、各扇状板３０１−ｎのスリットＳＬＴ内の軸体３１０の回転角度をスリットＳＬＴの内壁面上におけ軸体３１０の摺動距離とし、この摺動距離をデータＤＥＣとして記録してもよい。これらの態様によっても、音圧のサンプリングを終えた可視化装置５”を空間ＡＳの外に取り出して音／光変換器１０（ｋ）による光の明滅を行わせる際に、音／光変換器１０（ｋ）の位置関係をより正確に再現することができる。
【００２８】
（３）上記第１乃至第３実施形態では、音／光変換器１０（ｋ）は、観測対象である音Ｙの音圧をストローブ信号ＳＳと同期したサンプリングタイミングにおいてサンプリングし、このサンプリング結果である音Ｙの音圧の瞬時値に応じた輝度で発光部１３０を発光させた。しかし、マイクロホンやセンサなどにより検出される音Ｙの音圧の連続値（アナログ信号）に応じた輝度で発光部１３０を発光させてもよい。
【００２９】
（４）上記第１乃至第３実施形態は、バスレフスピーカＢＳのスピーカユニットＳＵから筐体ＣＨの中の音響空間ＡＳに伝わる音Ｙを観測対象とし、この音Ｙの波面の伝搬状態の観察に本発明を適用したものであった。しかし、温度、流量、湿度、振動（トランスデューサ）音、光（紫外線／赤外線）、電磁波、放射線、重力、磁場などの他の物理量を観察対象とし、これらの伝搬状態の観察に本発明を適用してもよい。
【００３０】
（５）上記第１乃至第３実施形態において、制御装置２０とスピーカユニットＳＵがケーブル接続されていない構成としてもよい。この場合において、音源であるスピーカユニットＳＵを制御装置２０とは別の装置により駆動するようにしてもよい。
【符号の説明】
【００３１】
１Ａ，１Ｂ，１Ｃ…観測システム、５…可視化装置、６…保持部材、１０…音／光変換器、２０…制御装置、１１０…マイクロホン、１２０…発光制御部、１２２…サンプルホールド回路、１２４…電圧電流変換回路、１２６…データ書き込み／読み出し制御部、１３０…発光部、１８０…記憶部、２０１…棒状体、３０１…扇状板。
【図１】
2013033076.tif 000003
【図２】
2013033076.tif 000004
【図３】
2013033076.tif 000005
【図４】
2013033076.tif 000006
【図５】
2013033076.tif 000007
【図６】
2013033076.tif 000008
【図７】
2013033076.tif 000009
【図８】
2013033076.tif 000010
【図９】
2013033076.tif 000011